(57)【要約】【課題】  多様な種類の鞄に安定的に固定することができる収納袋及び雨具と収納袋との組み合わせの提供。【解決手段】  収納袋１は、開口１０ｂが形成され、開口１０ｂから雨具１０を収納する収納部２と、開口１０ｂを開閉する蓋３と、収納部２の左右方向の端部に設けられた第１被係止部４３及び第２被係止部５３と、各被係止部に係止可能な第１係止部４２と、第２係止部５２と、を有している。第１係止部４２は、第１被係止部４３と係止可能であるとともに第２被係止部５３と係止可能であって、第２係止部５２は、第２被係止部５３と係止可能であるとともに第１被係止部４３と係止可能である。【選択図】図３
2019180954.tif 000002
【特許請求の範囲】
【請求項１】
開口が形成され、前記開口から雨具を収納する収納部と、
前記開口を開閉する開閉部と、
前記収納部の長手方向の両端部に設けられた被係止部と、
前記被係止部から延出し、前記被係止部に係止可能な係止部と、を有し、
前記長手方向の一方の端部に設けられた前記係止部は、前記長手方向の一方の端部に設けられた前記被係止部と係止可能であるとともに、前記長手方向の他方の端部に設けられた前記被係止部と係止可能であって、
前記長手方向の他方の端部に設けられた前記係止部は、前記長手方向の他方の端部に設けられた前記被係止部と係止可能であるとともに、前記長手方向の一方の端部に設けられた前記被係止部と係止可能であることを特徴とする収納袋。
【請求項２】
一端に前記係止部が設けられ他端に前記被係止部が設けられた伸縮性を有するバンドをさらに有し、
前記収納部の両端部には貫通孔が形成されたループ部が設けられていて、
前記係止部は、前記ループ部を貫通して前記被係止部と係止することを特徴とする請求項１に記載の収納袋。
【請求項３】
前記被係止部は貫通孔が形成されたループ形状をなし、
前記係止部を前記貫通孔に係止することにより、前記係止部と前記被係止部とが係止されることを特徴とする請求項１に記載の収納袋。
【請求項４】
開口が形成され、前記開口から雨具を収納する収納部と、
前記開口を開閉する開閉部と、
前記収納部の長手方向の一方の端部に設けられた被係止部と、
前記被係止部から延出し、前記被係止部に係止可能な係止部と、
前記係止部と前記被係止部とを接続する伸縮性を有するバンドと、を有し、
前記収納部の両端部には貫通孔が形成されたループ部が設けられていて、
前記係止部は、前記ループ部を貫通して前記被係止部と係止することを特徴とする収納袋。
【請求項５】
前記雨具と、
請求項１から４のいずれか１項に記載の収納袋と、を有することを特徴とする雨具と収納袋との組み合わせ。
【発明の詳細な説明】
【技術分野】
【０００１】
本発明は収納袋雨具と収納袋との組み合わせに関し、特に雨具を収納する収納袋及び雨具と収納袋との組み合わせに関する。
【背景技術】
【０００２】
従来より、ランドセルに着用するためのレインコート収納カバンが知られている（例えば、特許文献１）。レインコート収納カバンは雨具を収納する袋体であって、両端にマチが形成されていて持ち手と、持ち手を係止するための留め具と、を備えている。持ち手は、レインコート収納カバンの左右方向両端を結ぶように構成され、中央に設けられたバックル等の係止具と、長さ調節のためのアジャスターとを備えている。留め具には、スナップが設けられていて、スナップによって持ち手を係止することができる。
【０００３】
レインコート収納カバンをランドセルや背負い鞄等に取り付ける際は、係止具を解除し、ランドセルや背負い鞄の背負いベルトに持ち手を周回させ、再び係止具を互いに係合させ、留め具のスナップによって係止具を保持する。
【０００４】
また、他のランドセル補助カバンは、ランドセルの蓋版の表面に沿って設けられている（例えば、特許文献２）。ランドセル補助カバンはＰＰバンドの先端部分に係止具を備えていて、ランドセルのフックに係止具を係止させることによりランドセルに固定することができる。
【先行技術文献】
【特許文献】
【０００５】
【特許文献１】特許第５４８８４３２号
【特許文献２】特開平１０−３１３９２６号
【発明の概要】
【発明が解決しようとする課題】
【０００６】
しかしながら、従来のレインコート収納袋は、左右方向両端から延びる持ち手を背負いベルトに通すことにより背負い鞄等に固定していたため、レインコート収納袋が背負い鞄上で動いてしまい、安定的に背負い鞄に固定することが難しかった。また、従来のレインコート収納袋は、ショルダーバック又は手持ち鞄に固定したときも、安定感が悪かった。レインコート収納袋を手持ち鞄に固定するときは、持ち手の係止具を解除して、手持ち鞄の把手に持ち手を通し、再び係止具を係止する。このとき、持ち手が左右方向両端から延びているため、手持ち鞄に安定的に固定できず、手持ち鞄を動かすとレインコート収納袋も動いてしまっていた。
【０００７】
また、ランドセル補助カバンにおいても同様に、ＰＰバンドの先端部分に係止具が設けられているため、ランドセルに固定した際に安定感が悪く、歩く度にランドセル補助カバンが動いてしまっていた。
【０００８】
そこで、本発明は、多様な種類の鞄に安定的に固定することができる収納袋及び雨具と収納袋との組み合わせを提供することを目的とする。
【課題を解決するための手段】
【０００９】
上記課題を解決するために第１の発明は、開口が形成され、前記開口から雨具を収納する収納部と、前記開口を開閉する開閉部と、前記収納部の長手方向の両端部に設けられた被係止部と、前記被係止部から延出し、前記被係止部に係止可能な係止部と、を有し、前記長手方向の一方の端部に設けられた前記係止部は、前記長手方向の一方の端部に設けられた前記被係止部と係止可能であるとともに、前記長手方向の他方の端部に設けられた前記被係止部と係止可能であって、前記長手方向の他方の端部に設けられた前記係止部は、前記長手方向の他方の端部に設けられた前記被係止部と係止可能であるとともに、前記長手方向の一方の端部に設けられた前記被係止部と係止可能であることを特徴とする収納袋を提供している。
【００１０】
係止部及び被係止部としては、面ファスナー、カラビナ、ボタン、スナップボタン、樹脂製又は金属製のバックル、磁石などを用いることができるが、両者を係止できる構成であればよく、これらに限定されるものではない。
【００１１】
第２の発明では、第１の発明に記載された収納袋であって、一端に前記係止部が設けられ他端に前記被係止部が設けられた伸縮性を有するバンドをさらに有し、前記収納部の両端部には貫通孔が形成されたループ部が設けられていて、前記係止部は、前記ループ部を貫通して前記被係止部と係止することを特徴としている。
【００１２】
第３の発明では、第１の発明に記載された収納袋であって、前記被係止部は貫通孔が形成されたループ形状をなし、前記係止部を前記貫通孔に係止することにより、前記係止部と前記被係止部とが係止されることを特徴としている。
【００１３】
第４の発明では、開口が形成され、前記開口から雨具を収納する収納部と、前記開口を開閉する開閉部と、前記収納部の長手方向の一方の端部に設けられた被係止部と、前記被係止部から延出し、前記被係止部に係止可能な係止部と、前記係止部と前記被係止部とを接続する伸縮性を有するバンドと、を有し、前記収納部の両端部には貫通孔が形成されたループ部が設けられていて、前記係止部は、前記ループ部を貫通して前記被係止部と係止することを特徴とする収納袋を提供している。
【００１４】
第５の発明では、雨具と、第１の発明から第４の発明のいずれかに記載された収納袋と、を有することを特徴とする雨具と収納袋との組み合わせを提供している。
【発明の効果】
【００１５】
第１の発明によると、係止部は長手方向の一端に設けられた被係止部と係止可能であるとともに長手方向の他端に設けられた被係止部とも係止可能であるため、収納袋を様々な鞄類に取り付けることができる。例えば、長手方向一端の係止部を長手方向一端の被係止部に係止させるとともに長手方向他端の係止部を長手方向他端の被係止部に係止させることにより、収納袋をランドセルやリュックサックの各背ベルトに固定することができる。また、長手方向一端の係止部を長手方向他端の被係止部に係止させるとともに長手方向他端の係止部を長手方向一端の被係止部に係止させることにより、収納袋をランドセルのかぶせに固定することができる。さらに、収納部の開口を開閉する開閉部が設けられているため、収納部の内部に雨等が侵入するのを防止するとともに雨具の水滴が収納部から外部に漏れることを防止することができる。
【００１６】
第２の発明によると、係止部と被係止部とは伸縮性を有するバンドに設けられているため、バンドの伸縮性を利用して収納袋を鞄などに動かないよう固定することができる。また、ループ部に形成された貫通孔を通して係止部と被係止部とを係止させるため、収納袋１が鞄等から落下することなく固定することができる。
【００１７】
第３の発明によると、係止部を貫通孔に係止することにより係止部と被係止部とが係止されるため、収納袋１を鞄等から落下させることなく固定することができる。
【００１８】
第４の発明によると、係止部は長手方向の一端に設けられた被係止部と係止可能であるため、収納袋を様々な鞄類に取り付けることができる。例えば、長手方向一端の係止部を長手方向一端の被係止部に係止させることにより、手持ち鞄の把持部に固定することができる。また、収納部の開口を開閉する開閉部が設けられているため、収納部の内部に雨等が侵入するのを防止するとともに雨具の水滴が外部に漏れることを防止することができる。
【００１９】
第５の発明によると、雨具と第１の発明から第４の発明に記載された収納袋とを備えているため、上述の効果と同様の効果を奏する。
【図面の簡単な説明】
【００２０】
【図１】本発明の第１の実施の形態による収納袋の斜視図。
【図２】本発明の第１の実施の形態による収納袋の蓋部を開いたときの斜視図。
【図３】本発明の第１の実施の形態による収納袋の雨具を取り付けたときの斜視図。
【図４】本発明の第１の実施の形態による収納袋の第１係止部材及び第２係止部材を係止させたときの斜視図。
【図５】本発明の第１の実施の形態による収納袋をランドセルに取り付けたときの斜視図。
【図６】本発明の第１の実施の形態による収納袋の雨具を着用するときの着用方法を説明するための図。
【図７】本発明の第１の実施の形態による収納袋を手持ち鞄に取り付けたときの斜視図。
【図８】本発明の第２の実施の形態による収納袋の斜視図。
【図９】本発明の第３の実施の形態による収納袋の斜視図。
【図１０】本発明の第４の実施の形態による収納袋を手持ち鞄に取り付けたときの斜視図。
【発明を実施するための形態】
【００２１】
本発明の第１の実施の形態による収納袋を図１乃至図７に基づき説明する。図１乃至図４に示すように、前後上下左右方向を定義する。
【００２２】
図１乃至図３に示すように、収納袋１は、収納部２と、蓋部３と、第１係止部材４と、第２係止部材５と、から構成される。収納袋１は、図５に示すようにランドセル６や図７に示すように手持ち鞄７に取り付けるための袋であって、収納部２に雨具１０が収納されている。
【００２３】
［収納袋の構成］
収納部２は左右方向に長い略円柱形状を成し、固定部２１と、接続部２２と、を備えている。収納部２の内部には、雨具１０を収納する収納空間１０ａが規定され、収納部２の上部には収納空間１０ａと外部とを繋ぐ開口１０ｂが形成されている。固定部２１は、蓋部３と収納部２とを固定するための部材であって、本実施の形態ではスナップボタンを用いている。接続部２２は、図３に示すように、収納空間１０ａの開口１０ｂ近傍に設けられていて、雨具１０のループ部１１に係止されることにより雨具１０が収納袋１に固定される。雨具１０は、ループ部１１が接続部２２に係止された状態で折り畳まれ、収納空間１０ａに収納される。
【００２４】
蓋部３は開口１０ｂを開閉し、後部が収納部２と一体的に構成され、被固定部３１を備えている。被固定部３１は、固定部２１と係合することにより蓋部３と収納部２とが互いに固定される。本実施の形態では、固定部２１及び被固定部３１はそれぞれ２つ設けられているが、これに限定されず、１つであっても３つ以上であってもよい。また、固定部２１及び被固定部３１は、ボタンであってもよく、磁石等によって固定してもよい。蓋部３と、固定部２１と、被固定部３１と、は本発明の開閉部に相当する。
【００２５】
第１係止部材４は収納部２の右端部から延出し、第１バンド４１と、第１係止部４２と、第１被係止部４３と、第１ループ部４４と、から構成される。第１バンド４１は伸縮性を有する部材であって、先端に第１係止部４２が設けられ、他端が第１ループ部４４に固定されている。
【００２６】
第１係止部４２は略矩形であって、第１バンド４１の後面に設けられている。第１被係止部４３は第１係止部４２と略同形状であって、第１バンド４１の前面、且つ第１バンド４１と第１ループ部４４との接続部分近傍に設けられている。第１ループ部４４は柔軟性を有する紐であって両端が収納部２の右側端部に固定されていて、第１貫通孔４４ａが形成されている。図４に示すように、第１係止部４２と第１被係止部４３とを係止するときは、第１係止部４２を第１貫通孔４４ａに後方から前方に貫通させ、第１被係止部４３と貼り合わせる。これにより、第１係止部材４に第１係止ループ４ａが形成される。
【００２７】
第２係止部材５は収納部２の左端部から延出し、第２バンド５１と、第２係止部５２と、第２被係止部５３と、第２ループ部５４と、から構成される。第２バンド５１は伸縮性を有する部材であって、先端に第２係止部５２が設けられ、他端が第２ループ部５４に固定されている。
【００２８】
第２係止部５２は略矩形であって、第２バンド５１の後面に設けられている。第２被係止部５３は第２係止部５２と略同形状であって、第２バンド５１の前面、且つ第２バンド５１と第２ループ部５４との接続部分近傍に設けられている。第２ループ部５４は柔軟性を有する紐であって両端が収納部２の左側端部に固定され、第２貫通孔５４ａが形成されている。図４に示すように、第２係止部５２と第２被係止部５３とを係止するときは、第２係止部５２を第２貫通孔５４ａに後方から前方に貫通させ、第２被係止部５３と貼り合わせる。これにより、第２係止部材５に第２係止ループ５ａが形成される。第１バンド４１及び第２バンド５１は本発明のバンドに相当し、第１係止部４２及び第２係止部５２は本発明の係止部に相当し、第１被係止部４３及び第２被係止部５３は本発明の被係止部に相当し、第１貫通孔４４ａ及び第２貫通孔５４ａは本発明の貫通孔に相当する。
【００２９】
第１係止部４２は第２被係止部５３とも係止可能であり、第２係止部５２はも第１被係止部４３と係止可能である。第１係止部４２と第２被係止部５３とを係止するときは、第１バンド４１を収納部２の後方に回すとともに第２バンド５１を収納部２の後方に回し、第１係止部４２と第２被係止部５３とを貼り合わせ、第１被係止部４３と第２係止部５２とを貼り合わせる。
【００３０】
［ランドセルへの取り付け］
次に、収納袋１のランドセル６への取り付けについて図５を参照して説明する。ランドセル６は、右背ベルト６１と、左背ベルト６２と、かぶせ６３と、フック６４と、を有している。収納袋１をランドセル６に取り付けるときは、第１バンド４１を右背ベルト６１の後方に回して第１係止部４２を第１貫通孔４４ａに後方から前方に貫通させ第１被係止部４３と貼り合わせる。換言すると、第１係止ループ４ａに右背ベルト６１を貫通させた状態で第１係止部４２と第１被係止部４３とを係止する。このとき、第１バンド４１が僅かに伸長しているため、第１係止部材４は右背ベルト６１に対して上下方向に動くことなく固定される。
【００３１】
第２係止部材５を左背ベルト６２に取り付けるために、第２係止部５２を左背ベルト６２の後方に回して第２係止部５２を第２貫通孔５４ａの後方から前方に貫通させ第２被係止部５３と貼り合わせる。換言すると、第２係止ループ５ａに左背ベルト６２を貫通させた状態で第２係止部５２と第２被係止部５３とを係止する。このとき、第２バンド５１が僅かに伸長しているため、第２係止部材５は左背ベルト６２に対して上下方向に動くことなく固定される。これにより、収納袋１をランドセル２０の右背ベルト６１及び左背ベルト６２に固定することができる。
【００３２】
次に、収納袋１のランドセル６のかぶせ６３への取り付けについて、説明する。かぶせ６３は、右背ベルト６１及び左背ベルト６２と比べて幅があるため、第１係止部４２と第２被係止部５３とを係止させるとともに第２係止部５２と第１被係止部４３とを係止させることにより、収納袋１をかぶせ６３に取付ける。具体的には、第１係止部４２を、かぶせ６３の下側を回して第２被係止部５３と貼り合わせるとともに、第１被係止部４３と第２係止部５２とを貼り合わせる。第１バンド４１及び第２バンド５１は初期状態から伸長しているため、収納袋１はかぶせ６３上を動くことなく固定される。
【００３３】
次に、収納袋１の収納袋１の右背ベルト６１又は左背ベルト６２のいずれか一方への取り付けについて、説明する。右背ベルト６１に収納袋１を取り付ける際は、第１係止ループ４ａに右背ベルト６１を貫通させた状態で第１係止部４２と第１被係止部４３とを係止するとともに、第２係止ループ５ａに右背ベルト６１を貫通させた状態で第２係止部５２と第２被係止部５３とを係止する。つまり、収納袋１は右背ベルト６１に長手方向が上下方向となるように取り付けられる。このとき、第１バンド４１及び第２バンド５１が僅かに伸長しているため、第１係止部材４及び第２係止部材５は右背ベルト６１に対して上下方向に動くことなく固定される。
【００３４】
左背ベルト６２に収納袋１を取り付ける際は、第１係止ループ４ａに左背ベルト６２を貫通させた状態で第１係止部４２と第１被係止部４３とを係止するとともに、第２係止ループ５ａに左背ベルト６２を貫通させた状態で第２係止部５２と第２被係止部５３とを係止する。つまり、収納袋１は左背ベルト６２に長手方向が上下方向となるように取り付けられる。このとき、第１バンド４１及び第２バンド５１が僅かに伸長しているため、第１係止部材４及び第２係止部材５は左背ベルト６２に対して上下方向に動くことなく固定される。
【００３５】
［雨具の着衣］
次に、ランドセル６に収納袋１を装着した状態で雨具１０を着るときについて、図６を参照して説明する。図６（ａ）は、収納袋１が取り付けられたランドセル６を背負った状態である。収納袋１は図５の状態と上下方向が逆になっているが、いずれであってもよい。図６（ｂ）に示すように、蓋部３を開けて収納空間１０ａから雨具１０を取り出す。このとき、接続部２２はループ部１１を係止した状態のままであるため、雨具１０がランドセル６のかぶせ６３に沿って垂れ下がっている状態となる。図６（ｃ）に示すように、この状態のまま雨具１０のフード１２を被り、両腕を雨具１０の袖１３に通して雨具１０を着る。雨具１０は、ランドセル６を背負った状態のまま着衣できるように、背中部分に十分な空間が確保されている。
【００３６】
［手持ち鞄への取り付け］
次に、収納袋１の手持ち鞄７への取り付けについて図７を参照して説明する。収納袋１を手持ち鞄７の把手７１に取り付けるときは、第１係止部４２を把手７１の後方に回して第１貫通孔４４ａに後方から前方に貫通させ第１被係止部４３と貼り合わせる。換言すると、第１係止ループ４ａに把手７１を貫通させた状態で第１係止部４２と第１被係止部４３とを係止する。このとき、第１バンド４１は僅かに伸長しているため、第１係止部材４は把手７１に対して上下方向に動くことなく固定される。
【００３７】
また、第２係止部５２を把手７１の後方に回して第２貫通孔５４ａに後方から前方に貫通させ第２被係止部５３と貼り合わせてもよい。換言すると、第２係止ループ５ａに把手７１を貫通させた状態で第２係止部５２と第２被係止部５３とを係止してもよい。このとき、第２バンド５１は僅かに伸長しているため、第２係止部材５は把手７１に対して上下方向に動くことなく固定される。これにより、収納袋１を手持ち鞄７の把手７１に固定することができる。
【００３８】
このような構成によると、第１係止部４２は左右方向の一端に設けられた第１被係止部４３と係止可能であるとともに左右方向の他端に設けられた第２被係止部５３とも係止可能であるため、収納袋１を様々な鞄類に取り付けることができる。例えば、左右方向一端の第１係止部４２を左右方向一端の第１被係止部４３に係止させるとともに左右方向他端の第２係止部５２を左右方向他端の第２被係止部５３に係止させることにより、収納袋１をランドセル６の右背ベルト６１及び左背ベルト６２に固定することができる。また、左右方向一端の第１係止部４２を左右方向他端の第２被係止部５３に係止させるとともに左右方向他端の第２係止部５２を左右方向一端の第１被係止部４３に係止させることにより、収納袋１をランドセル６のかぶせ６３に固定することができる。さらに、収納部２の開口１０ｂを開閉する蓋部３が設けられているため、収納部２の内部に雨等が侵入するのを防止するとともに雨具１０の水滴が外部に漏れることを防止することができる。
【００３９】
このような構成によると、第１係止部４２と第１被係止部４３とは伸縮性を有する第１バンド４１によって接続されているため、第１バンド４１の伸縮性を利用して収納袋１を手持ち鞄７などに動かないよう固定することができる。同様に、第２係止部５２と第２被係止部５３とは伸縮性を有する第２バンド５１によって接続されているため、第２バンド５１の伸縮性を利用して収納袋１を手持ち鞄７などに動かないよう固定することができる。また、第１ループ部４４に形成された第１貫通孔４４ａを通して第１係止部４２と第１被係止部４３とを係止させるため、収納袋１が手持ち鞄７から落下することなく固定することができる。同様に、第２ループ部５４に形成された第２貫通孔５４ａを通して第２係止部５２と第２被係止部５３とを係止させるため、収納袋１が手持ち鞄７から落下することなく固定することができる。
【００４０】
次に、本発明の第２の実施の形態に係る収納袋１０１について、図８に基づいて説明する。第１の実施の形態と同一の構成については、同一の符号を付し説明を省略する。
【００４１】
収納袋１０１は、収納部１０２と、蓋部１０３と、第１係止部材１０４と、第２係止部材１０５と、から構成される。収納部１０２は左右方向に長い略円柱形状を成し、固定部１２１と、接続部１２２と、を備えている。収納部１０２の内部には、雨具を収納する収納空間が形成され、収納部１０２の上部には収納空間と外部とを繋ぐ開口１１０ｂが形成されている。固定部１２１は、蓋部１０３と収納部１０２とを固定するための部材であって、本実施の形態では面ファスナーを用いている。接続部１２２は収納部１０２の外側に設けられていて、図５に示すランドセル６に収納袋１０１を固定するとき、フック６４に引掛ける。
【００４２】
第１係止部材１０４は収納部１０２の右端部から延出し、第１バンド１４１と、第１係止部１４２と、第１被係止部１４４と、から構成される。第１バンド１４１の先端に第１係止部１４２であるカラビナが設けられ、他端が第１被係止部１４４に固定されている。第１係止部１４２と第１被係止部１４４との間の第１バンド１４１の長さは、第１バンド１４１の先端部１４１Ａを引っ張ることにより調節する。
【００４３】
第１被係止部１４４は、前後方向に幅を有する紐であって両端が収納部１０２の右側端部に固定され、第１貫通孔１４４ａが形成されている。第１係止部１４２を第１被係止部１４４に係止させることにより、第１係止部材１０４に第１係止ループが形成される。第１係止ループは、第１係止部１４２と第１被係止部１４４との間の第１バンド１４１の長さを調整することにより、大きさを調整する。
【００４４】
第２係止部材１０５は収納部１０２の左端部から延出し、第２バンド１５１と、第２係止部１５２と、第２被係止部１５４と、から構成される。第２バンド１５１の先端に第２係止部１５２であるカラビナが設けられ、他端が第２被係止部１５４に固定されている。第２係止部１５２と第２被係止部１５４との間の第２バンド１５１の長さは、第２バンド１５１の先端部１５１Ａを引っ張ることにより調節する。
【００４５】
第２被係止部１５４は前後方向に幅を有する紐であって両端が収納部１０２の左側端部に固定され、第２貫通孔１５４ａが形成されている。第２係止部１５２を第２被係止部１５４と係止させることにより第２係止部材１０５に第２係止ループが形成される。第２係止ループは、第２係止部１５２と第２被係止部１５４との間の第２バンド１５１の長さを調整することにより、大きさを調整する。
【００４６】
ランドセル６への取り付けのときは、第１の実施の形態と同様に、第１係止ループに右背ベルト６１を貫通させた状態で第１係止部１４２と第１被係止部１４４とを係止して第１係止ループの大きさを調整するとともに、第２係止ループに左背ベルト６２を貫通させた状態で第２係止部１５２と第２被係止部１５４とを係止して第２係止ループの大きさを調整する。
【００４７】
第１係止部１４２は第２被係止部１５４と係止可能であり、第２係止部１５２は第１被係止部１４４と係止可能である。これにより、収納袋１０１の左右方向全幅に亘る係止ループを形成することができるため、例えば、当該係止ループをランドセル６のかぶせ６３に通すことにより、収納袋１０１をランドセル６に固定することができる。
【００４８】
このような構成によると、第１係止部１４２であるカラビナを第１貫通孔１４４ａに引掛けることにより第１係止部１４２と第１被係止部１４４とを係止しているため、収納袋１０１を手持ち鞄７から落下させることなく固定することができる。同様に、第２係止部１５２であるカラビナを第２貫通孔１５４ａに引掛けることにより第２係止部１５２と第２被係止部１５４とを係止しているため、収納袋１０１を手持ち鞄７から落下させることなく固定することができる。
【００４９】
次に、本発明の第３の実施の形態に係る収納袋２０１について、図９に基づいて説明する。第１の実施の形態と同一の構成については、同一の符号を付し説明を省略する。
【００５０】
収納袋２０１は、収納部２０２と、チャック２０３と、を備えている。収納部２０２は左右方向に長い略円柱形状を成し、内部に雨具を収納する収納空間が形成され収納部１０２の上部には収納空間と外部とを繋ぐ開口が形成されている。チャック２０３は、当該開口を開閉可能である。チャック２０３は、本発明の開閉部に相当する。
【００５１】
このような構成によると、収納部２０２の開口を開閉するチャック２０３が設けられているため、収納部２０２の内部に雨等が侵入するのを防止するとともに雨具の水滴が収納部２０２から外部に漏れることを防止することができる。
【００５２】
次に、本発明の第４の実施の形態に係る収納袋３０１について、図１０に基づいて説明する。第１の実施の形態と同一の構成については、同一の符号を付し説明を省略する。
【００５３】
収納袋３０１は、長手方向の一端に第１係止部材４が設けられていて、他端には第１の実施の形態の第２係止部材に相当する部材が設けられていない。これにより、手持ち鞄やショルダーバックに収納袋３０１を固定するとき、第２係止部材に相当する部材が持ち運びの際の邪魔にならず外観上も良好となる。
【００５４】
このような構成によると、第１係止部は長手方向の一端に設けられた被係止部と係止可能であるため、収納袋を様々な鞄類に取り付けることができる。例えば、長手方向一端の係止部を長手方向一端の被係止部に係止させることにより、手持ち鞄の把持部に固定することができる。また、収納部の開口を開閉する開閉部が設けられているため、収納部の内部に雨等が侵入するのを防止するとともに雨具の水滴が外部に漏れることを防止することができる。
【００５５】
本発明による収納袋及び雨具と収納袋との組み合わせは、上述した実施の形態に限定されず、特許請求の範囲に記載された発明の要旨の範囲内で種々の変更が可能である。
【００５６】
上述の実施の形態では、収納袋はランドセル６及び手持ち鞄７に固定されたが、これに限定されない。例えば、ショルダーバックのベルト部分やハンドバックの持ち手、ウェストポーチ等にも固定することができる。
【００５７】
上述の実施の形態では、第１係止部材４は第１ループ部４４を備えるとともに第２係止部材５は第２ループ部５４を備えていたが、これに限定されない。例えば、第１ループ部及び第２ループ部は設けられておらず、第１バンド及び第２バンドが直接収納部２から延出していてもよい。これにより、収納袋の製造コストを削減することができる。
【００５８】
上述の実施の形態では、ランドセル６及び手持ち鞄７に取り付けたが、これに限定されない。例えば、スーツケースのキャリーバーに取り付けてもよい。このときは、一方のキャリーバーに第１係止部材を係止し、他方のキャリーバーに第２係止部材５を係止する。また、車椅子に取り付けてもよい。このときは、車椅子の介助者が把持するハンドルの一方に第１係止部材を係止し、他方に第２係止部材を係止する。
【符号の説明】
【００５９】
１、１０１、２０１      収納袋
２、１０２、２０２      収納部
３、１０３      蓋部
４、１０４      第１係止部材
５、１０５      第２係止部材
６      ランドセル
１０    雨具
１０ｂ  開口
４１、１４１    第１バンド
４２、１４２    第１係止部
４３、１４４    第１被係止部
４４    第１ループ部
４４ａ  第１貫通孔
５１、１５１    第２バンド
５２、１５２    第２係止部
５３、１５４    第２被係止部
５４    第２ループ部
５４ａ  第２貫通孔
【図１】
2019180954.tif 000003
【図２】
2019180954.tif 000004
【図３】
2019180954.tif 000005
【図４】
2019180954.tif 000006
【図５】
2019180954.tif 000007
【図６】
2019180954.tif 000008
【図７】
2019180954.tif 000009
【図８】
2019180954.tif 000010
【図９】
2019180954.tif 000011
【図１０】
2019180954.tif 000012